(57)【要約】 【課題】  供給電力が小さくなっても、稼動を維持することができる電子装置を提供する。【解決手段】  第１電源２および第１電源２よりも電力が小さい第２電源３からの電力によって、複数の機能が実行される。電源制御部４は、第１電源２から電力が供給される第１供給状態と第２電源３から電力が供給される第２供給状態とを切り換える。アプリケーション制御部５は、前記複数の機能のうち予め定める第１の機能を実行可能な第１機能状態と前記複数の機能のうち前記予め定める第１の機能よりも小さい電力によって実行される予め定める第２の機能を実行可能な第２機能状態とを切り換える。これらの電源制御部４およびアプリケーション制御部５は、電源制御部４が第１供給状態から第２供給状態に切り換えるとき、アプリケーション制御部５が第１機能状態から第２機能状態に切り換えるように、制御部６によって制御される。【選択図】      図１
2006109364.tif 000002
【特許請求の範囲】
【請求項１】
第１電源および第１電源よりも電力が小さい第２電源を備え、これらの第１および第２電源からの電力によって実行される複数の機能を有する電子装置であって、
第１電源から電力が供給される第１供給状態と第２電源から電力が供給される第２供給状態とを切り換える電源切換え手段と、
前記複数の機能のうち予め定める第１の機能を実行可能な第１機能状態と前記複数の機能のうち前記予め定める第１の機能よりも小さい電力によって実行される予め定める第２の機能を実行可能な第２機能状態とを切り換える機能切換え手段と、
電源切換え手段が第１供給状態から第２供給状態に切り換えるとき、機能切換え手段が第１機能状態から第２機能状態に切り換えるように、電源切換え手段および機能切換え手段を制御する制御手段とを含むことを特徴とする電子装置。
【請求項２】
制御手段は、電源切換え手段が第２供給状態から第１供給状態に切り換えるとき、機能切換え手段が第２機能状態から第１機能状態に切り換えるように、電源切換え手段および機能切換え手段を制御することを特徴とする請求項１記載の電子装置。
【請求項３】
電源切換え手段が第１供給状態と第２供給状態とを切り換えるための切換え指令が入力される入力手段をさらに含み、
制御手段は、入力手段に入力される切換え指令に応答して、電源切換え手段が第１供給状態と第２供給状態とを切り換えるように、電源切換え手段を制御することを特徴とする請求項１または２記載の電子装置。
【請求項４】
第１電源の残量を監視する残量監視手段をさらに含み、
制御手段は、残量監視手段による第１電源の残量に基づいて、電源切換え手段が第１供給状態と第２供給状態とを切り換えるように、電源切換え手段を制御することを特徴とする請求項１または２記載の電子装置。
【請求項５】
第２電源は、太陽電池を含んで構成されることを特徴とする請求項１〜４のいずれか１つに記載の電子装置。
【発明の詳細な説明】
【技術分野】
【０００１】
本発明は、第１電源および第１電源よりも電力が小さい第２電源を備え、これらの第１および第２電源からの電力によって実行される複数の機能を搭載している電子装置に関する。
【背景技術】
【０００２】
従来の技術は、特許文献１に開示される。この従来の技術の携帯電話装置は、動作電源となる充電用電池を備える。この充電用電池には、太陽電池の出力が充電回路を介して充電される。
【０００３】
【特許文献１】特開平４−２６９０４４号公報
【発明の開示】
【発明が解決しようとする課題】
【０００４】
前記従来の技術では、充電用電池の残量が減少すると、携帯電話装置は、実質的に太陽電池からの電力供給だけで稼動することになる。このような従来の技術を、多機能を搭載している携帯電話装置に適用すると、以下のような問題が生じる。すなわち、多機能を搭載している携帯電話装置では、消費電力が大きいので、太陽電池からの電力供給だけでは、稼動を維持することができないという問題が生じる。
【０００５】
したがって本発明の目的は、供給電力が小さくなっても、稼動を維持することができる電子装置を提供することである。
【課題を解決するための手段】
【０００６】
本発明は、第１電源および第１電源よりも電力が小さい第２電源を備え、これらの第１および第２電源からの電力によって実行される複数の機能を有する電子装置であって、
第１電源から電力が供給される第１供給状態と第２電源から電力が供給される第２供給状態とを切り換える電源切換え手段と、
前記複数の機能のうち予め定める第１の機能を実行可能な第１機能状態と前記複数の機能のうち前記予め定める第１の機能よりも小さい電力によって実行される予め定める第２の機能を実行可能な第２機能状態とを切り換える機能切換え手段と、
電源切換え手段が第１供給状態から第２供給状態に切り換えるとき、機能切換え手段が第１機能状態から第２機能状態に切り換えるように、電源切換え手段および機能切換え手段を制御する制御手段とを含むことを特徴とする電子装置である。
【０００７】
また本発明は、制御手段は、電源切換え手段が第２供給状態から第１供給状態に切り換えるとき、機能切換え手段が第２機能状態から第１機能状態に切り換えるように、電源切換え手段および機能切換え手段を制御することを特徴とする。
【０００８】
また本発明は、電源切換え手段が第１供給状態と第２供給状態とを切り換えるための切換え指令が入力される入力手段をさらに含み、
制御手段は、入力手段に入力される切換え指令に応答して、電源切換え手段が第１供給状態と第２供給状態とを切り換えるように、電源切換え手段を制御することを特徴とする。
【０００９】
また本発明は、第１電源の残量を監視する残量監視手段をさらに含み、
制御手段は、残量監視手段による第１電源の残量に基づいて、電源切換え手段が第１供給状態と第２供給状態とを切り換えるように、電源切換え手段を制御することを特徴とする。
また本発明は、第２電源は、太陽電池を含んで構成されることを特徴とする。
【発明の効果】
【００１０】
本発明によれば、複数の機能が、第１および第２電源からの電力によって実行される。電源切換え手段は、第１電源から電力が供給される第１供給状態と第２電源から電力が供給される第２供給状態とを切り換える。また機能切換え手段は、前記複数の機能のうち予め定める第１の機能を実行可能な第１機能状態と前記複数の機能のうち予め定める第２の機能を実行可能な第２機能状態とを切り換える。制御手段は、電源切換え手段が第１供給状態から第２供給状態に切り換えるとき、機能切換え手段が第１機能状態から第２機能状態に切り換えるように、電源切換え手段および機能切換え手段を制御する。
【００１１】
第２電源は、第１電源よりも電力が小さいので、電源切換え手段が第１供給状態から第２供給状態に切り換えると、供給電力が小さくなる。また予め定める第２の機能は、予め定める第１の機能よりも小さい電力によって実行されるので、機能切換え手段が第１機能状態から第２機能状態に切り換えると、消費電力が小さくなる。
【００１２】
制御手段は、前述のように電源切換え手段および機能切換え手段を制御するので、電源切換え手段が第１供給状態から第２供給状態に切り換えることによって供給電力が小さくなるとき、機能切換え手段が第１機能状態から第２機能状態に切り換えることによって消費電力が小さくなる。したがって電源切換え手段が第１供給状態から第２供給状態に切り換えることによって供給電力が小さくなっても、電子装置の稼動を維持することができる。
【００１３】
また本発明によれば、制御手段は、前述のように、電源切換え手段が第１供給状態から第２供給状態に切り換えるとき、機能切換え手段が第１機能状態から第２機能状態に切り換えるように、電源切換え手段および機能切換え手段を制御する。また制御手段は、電源切換え手段が第２供給状態から第１供給状態に切り換えるとき、機能切換え手段が第２機能状態から第１機能状態に切り換えるように、電源切換え手段および機能切換え手段を制御する。
【００１４】
このように制御手段が電源切換え手段および機能切換え手段を制御するので、第１供給状態では第１機能状態となり、第２供給状態では第２機能状態となる。つまり、供給電力に応じて、予め定める第１の機能と予め定める第２の機能とを選択的に実行することができる。
【００１５】
また本発明によれば、入力手段には、第１供給状態と第２供給状態とを切り換えるための切換え指令が入力される。制御手段は、入力手段に入力される切換え指令に応答して、電源切換え手段が第１供給状態と第２供給状態とを切り換えるように、電源切換え手段を制御する。したがって操作者によって入力手段に切換え指令が入力されることによって、電源切換え手段が第１供給状態と第２供給状態とを切り換えることができる。つまり操作者の意思による電源の切換えが可能である。
【００１６】
また本発明によれば、残量監視手段は、第１電源の残量を監視する。制御手段は、残量監視手段による第１電源の残量に基づいて、電源切換え手段が第１供給状態と第２供給状態とを切り換えるように、電源切換え手段を制御する。したがって電源の切換えにあたって操作者の手を煩わすことがないので、利便性が向上される。
【００１７】
また本発明によれば、第２電源は、太陽電池を含んで構成されるので、この太陽電池に光が照射されていれば、第２電源は、電力を供給することができる。したがって第２電源の太陽電池に光が照射されていれば、前記複数の機能のうち少なくとも予め定める第２の機能はいつでも実行することができる。換言すると、第２電源の太陽電池に光が照射されることによって、電子装置が稼動しないという事態を避けることができる。
【発明を実施するための最良の形態】
【００１８】
図１は、本発明の実施の一形態の携帯電話機１を示すブロック図である。携帯電話機１は電子装置である。携帯電話機１は、第１電源２および第１電源２よりも電力が小さい第２電源３を備え、これらの第１および第２電源２，３からの電力によって実行される複数の機能を有する。
【００１９】
第１電源２は、二次電池を含んで構成される。したがって第１電源２の残量は、放電によって減少し、充電によって増加する。二次電池としては、たとえば内蔵型リチウムボタン充電池が用いられる。
【００２０】
第２電源３は、第１電源２の残量が残り少なくなったときに第１電源２の代わりに電力を供給するための補助電源として備えられる。第２電源３は、太陽電池３ａを含んで構成される。したがって第２電源３の太陽電池３ａに光が照射されていれば、第２電源３は、電力を供給することができる。
【００２１】
複数の機能は、電話機能と、電話帳機能と、メール機能と、ブラウジング機能と、ゲーム機能と、カメラ機能とを含む。これらの各機能は、アプリケーションによって実現される。各機能の実行にあたって消費される消費電力は、それぞれ異なる。
【００２２】
携帯電話機１は、電源制御部４と、アプリケーション制御部５と、制御部６と、入力部７とを含む。電源制御部４は、電源切換え手段および残量監視手段である。アプリケーション制御部５は、機能切換え手段である。制御部６は、制御手段である。入力部７は、入力手段である。
【００２３】
電源制御部４は、制御部６からの電源切換え指令に応答して、第１供給状態と第２供給状態とを切り換える。第１供給状態では、第１電源２から電力が供給される。第２供給状態では、第２電源３から電力が供給される。
【００２４】
電源制御部４は、第１電源２の残量を監視している。電源制御部４は、第１供給状態において放電によって第１電源２の残量が予め定める閾値以下になると、残量不足通知を制御部６に与える。また電源制御部４は、第２供給状態において充電によって第１電源２の残量が前記予め定める閾値以上になると、残量回復通知を制御部６に与える。前記予め定める閾値は、第１電源２の容量のたとえば２０〜３０％に選ばれる。
【００２５】
本実施の形態において、第１電源２の残量を監視するとは、第１電源２の電圧を所定の時間間隔で測定することをいう。また、第１電源２の残量が予め定める閾値以下になるとは、第１電源２の電圧が予め定める電圧閾値以下になることをいう。第１電源２の残量が予め定める閾値以上になるとは、第１電源２の電圧が予め定める電圧閾値以上になることをいう。アプリケーション制御部５は、制御部６からの機能切換え指令に応答して、第１機能状態と第２機能状態とを切り換える。第１機能状態では、前記複数の機能のうち予め定める第１の機能を実行可能である。第２機能状態では、前記複数の機能のうち前記予め定める第１の機能よりも小さい電力によって実行される予め定める第２の機能を実行可能である。
【００２６】
アプリケーション制御部５は、第１機能状態から第２機能状態に切り換えるとき、前記複数の機能のうち予め定める第２の機能を除く残余の機能を、停止させる。すなわち、アプリケーション制御部５は、前記残余の機能のためのタスクを、停止させる。このとき、予め定める第２の機能は実行可能としておくために、制御部６および無線制御部８などは、起動状態としておく必要がある。
【００２７】
本実施の形態において、予め定める第１の機能は、前記複数の機能の全てである。また予め定める第２の機能は、前記複数の機能のうち、第２電源３の太陽電池３ａに光が照射されているときに第２電源３から供給される電力によって実行可能な機能である。具体的には、予め定める第２の機能は、電話機能および電話帳機能である。
【００２８】
制御部６は、中央演算処理装置（Central Processing Unit、略称ＣＰＵ）によって実現される。制御部６は、入力部７に入力される切換え指令に応答して、電源制御部４が第１供給状態と第２供給状態とを切り換え、アプリケーション制御部５が第１機能状態と第２機能状態とを切り換えるように、電源制御部４およびアプリケーション制御部５を制御する。また制御部６は、電源制御部４による第１電源２の残量に基づいて、電源制御部４が第１供給状態と第２供給状態とを切り換え、アプリケーション制御部５が第１機能状態と第２機能状態とを切り換えるように、電源制御部４およびアプリケーション制御部５を制御する。
【００２９】
制御部６は、電源制御部４が第１供給状態から第２供給状態に切り換えるとき、アプリケーション制御部５が第１機能状態から第２機能状態に切り換えるように、電源制御部４およびアプリケーション制御部５を制御する。また制御部６は、電源制御部４が第２供給状態から第１供給状態に切り換えるとき、アプリケーション制御部５が第２機能状態から第１機能状態に切り換えるように、電源制御部４およびアプリケーション制御部５を制御する。
【００３０】
制御部６は、通常モードと小電力消費モードとを切り換える。通常モードでは、第１供給状態であり、かつ、第１機能状態である。小電力消費モードでは、第２供給状態であり、かつ、第２機能状態である。つまり本実施の形態では、供給電力に応じて、予め定める第１の機能と予め定める第２の機能とを選択的に実行することができる。
【００３１】
小電力消費モードでは、制御部６は、前記複数の機能のうち予め定める第２の機能を除く残余の機能の起動要求を入力部７から与えられても、前記残余の機能の起動要求をアプリケーション制御部５に与えない。すなわち小電力消費モードでは、前記残余の機能については、ロックがかけられる。
【００３２】
入力部７は、電源制御部４が第１供給状態と第２供給状態とを切り換えるための切換え指令が入力される。切換え指令は、操作者によって入力部７に与えられる。入力部７は、１または複数の操作ボタンを含む。入力部７は、前記切換え指令に限らず、種々の指令が入力される。
【００３３】
前記複数の機能を実現するために、携帯電話機１は、無線制御部８と、通話部と、カメラ部と、スピーカ部と、表示部９とをさらに含む。無線制御部８は、アンテナ１０を介して受信されるデータを復調して、制御部６に与える。また無線制御部８は、制御部６から与えられるデータを変調して、アンテナ１０を介して送信する。
【００３４】
通話部は、電話通話のためのスピーカおよびマイクを有する。カメラ部は、電荷結合素子（Charge Coupled Device、略称ＣＣＤ）を有し、制御部６からの制御指令に応答して撮像する。スピーカ部は、制御部６からの制御指令に応答して音を発生する。表示部９は、液晶表示素子を有し、制御部６からの制御指令に応答して画面を表示する。
【００３５】
図２は、携帯電話機１の外観を示す図である。携帯電話機１は、折り畳み型である。携帯電話機１は、第１筐体１１と、第２筐体１２と、ヒンジ部１３とを含む。第１筐体１１には、表示部９が設けられる。第２筐体１２には、入力部７が設けられる。ヒンジ部１３は、第１筐体１１と第２筐体１２とを角変位可能に連結する。
【００３６】
このような携帯電話機１における第２電源３の太陽電池３ａの位置は、携帯電話機１が図２に示すような折り畳み状態であっても太陽電池３ａが外方に臨み、かつ、操作者による携帯電話機１の使用時でも太陽電池３ａが操作者の手指に覆われないような位置に、選ばれる。本実施の形態では、第２電源３の太陽電池３ａは、第１筐体１１のヒンジ部１３側とは反対側の端部１１ａに、前記折り畳み状態において外方に臨むように、設けられる。
【００３７】
図３は、通常モードにおいて電源制御部４から残量不足通知を与えられたときの制御部６の動作を設定するための設定画面２１を示す図である。前記制御部６の動作としては、自動切換え動作および手動切換え動作がある。自動切換え動作では、通常モードから小電力消費モードへの切換えにあたって、操作者の操作が不要である。手動切換え動作では、通常モードから小電力消費モードへの切換えにあたって、操作者の操作が必要である。
【００３８】
前記制御部６の動作は、操作者によって予め設定される。この設定にあたって、表示部９には、図３に示す設定画面２１が表示される。この設定画面２１が表示されたときに、操作者は、前記制御部６の動作として自動切換え動作および手動切換え動作のいずれか一方を選択する。具体的には、操作者は、入力部７を操作して、図３における「自動」および「手動」のいずれか一方を選択して決定する。これによって、前記制御部６の動作は、自動切換え動作および手動切換え動作のいずれか一方に設定される。
【００３９】
図４は、小電力消費モードにおいて電源制御部４から残量回復通知を与えられたときの制御部６の動作を設定するための設定画面２２を示す図である。前記制御部６の動作としては、自動切換え動作および手動切換え動作がある。自動切換え動作では、小電力消費モードから通常モードへの切換えにあたって、操作者の操作が不要である。手動切換え動作では、小電力消費モードから通常モードへの切換えにあたって、操作者の操作が必要である。
【００４０】
前記制御部６の動作は、操作者によって予め設定される。この設定にあたって、表示部９には、図４に示す設定画面２２が表示される。この設定画面２２が表示されたときに、操作者は、前記制御部６の動作として自動切換え動作および手動切換え動作のいずれか一方を選択する。具体的には、操作者は、入力部７を操作して、図４における「自動」および「手動」のいずれか一方を選択して決定する。これによって、前記制御部６の動作は、自動切換え動作および手動切換え動作のいずれか一方に設定される。
【００４１】
図５は、通常モードにおいて電源制御部４から残量不足通知を与えられたときの制御部６の動作が、自動切換え動作に設定されている場合の制御部６の動作（以下、第１の切換え関連動作と記載する）を説明するためのフローチャートである。
【００４２】
ステップａ０で、制御部６は、第１の切換え関連動作を開始して、ステップａ１に進む。第１の切換え関連動作は、（１）前記制御部６の動作が自動切換え動作に設定されている場合において、制御部６が小電力消費モードから通常モードに切り換えたとき、または（２）通常モードにおいて、前記制御部６の動作が自動切換え動作に設定されたとき、開始される。
【００４３】
ステップａ１で、制御部６は、電源制御部４から残量不足通知を与えられると、ステップａ２に進む。ステップａ２で、制御部６は、通常モードから小電力消費モードに切り換え、ステップａ３に進む。
【００４４】
詳細に述べると、電源制御部４は、第１供給状態において放電によって第１電源２の残量が予め定める閾値以下になると、残量不足通知を制御部６に与える。制御部６は、電源制御部４から残量不足通知を与えられると、機能切換え指令をアプリケーション制御部５に与える。アプリケーション制御部５は、制御部６から機能切換え指令を与えられると、第１機能状態から第２機能状態に切り換える。アプリケーション制御部５は、第１機能状態から第２機能状態に切り換えると、機能切換え完了通知を制御部６に与える。
【００４５】
制御部６は、アプリケーション制御部５から機能切換え完了通知を与えられると、電源切換え指令を電源制御部４に与える。電源制御部４は、制御部６から電源切換え指令を与えられると、第１供給状態から第２供給状態に切り換える。電源制御部４は、第１供給状態から第２供給状態に切り換えると、電源切換え完了通知を制御部６に与える。制御部６は、電源制御部４から電源切換え完了通知を与えられると、通常モードから小電力消費モードに切り換える。
【００４６】
ステップａ３で、制御部６は、報知音発生指令をスピーカ部に与え、ステップａ４に進む。スピーカ部は、制御部６から報知音発生指令を与えられると、報知音を発生する。これによって制御部６が通常モードから小電力消費モードに切り換えたことを、操作者に通知することができる。ステップａ４で、制御部６は、第１の切換え関連動作を終了する。
【００４７】
このように制御部６は、電源制御部４から残力不足通知を与えられると、電源制御部４が第１供給状態から第２供給状態に切り換え、かつ、アプリケーション制御部５が第１機能状態から第２機能状態に切り換えるように、電源制御部４およびアプリケーション制御部５を制御する。したがって電源および機能の切換え、すなわちモードの切換えにあたって、操作者の手を煩わすことがないので、利便性が向上される。
【００４８】
図６は、通常モードにおいて電源制御部４から残量不足通知を与えられたときの制御部６の動作が、手動切換え動作に設定されている場合の制御部６の動作（以下、第２の切換え関連動作と記載する）を説明するためのフローチャートである。図７は、通常モードから小電力消費モードに変更するか否かを操作者が選択して決定するための画面２３を示す図である。
【００４９】
ステップｂ０で、制御部６は、第２の切換え関連動作を開始して、ステップｂ１に進む。第２の切換え関連動作は、（１）前記制御部６の動作が手動切換え動作に設定されている場合において、制御部６が小電力消費モードから通常モードに切り換えたとき、または（２）通常モードにおいて、前記制御部６の動作が手動切換え動作に設定されたとき、開始される。
【００５０】
電源制御部４は、第１供給状態において放電によって第１電源２の残量が予め定める閾値以下になると、残量不足通知を制御部６に与える。ステップｂ１で、制御部６は、電源制御部４から残量不足通知を与えられると、ステップｂ２に進む。ステップｂ２で、制御部６は、報知音発生指令をスピーカ部に与えるとともに、図７に示す画面２３の表示指令を表示部９に与え、ステップｂ３に進む。
【００５１】
スピーカ部は、制御部６から報知音発生指令を与えられると、報知音を発生する。これによって第１電源２の残量が予め定める閾値以下になったことを、操作者に通知することができる。表示部９は、制御部６から前記表示指令を与えられると、図７に示す画面２３を表示する。これによって通常モードから小電力消費モードに変更するか否かを、操作者に選択させることができる。
【００５２】
図７に示す画面２３が表示されたとき、操作者は、通常モードから小電力消費モードに変更することを選択する。操作者は、入力部７を操作して、図７における「はい」を選択して決定する。このとき入力部７には、切換え指令が入力される。入力部７は、切換え指令が操作者によって入力されると、この切換え指令を制御部６に与える。
【００５３】
また図７に示す画面２３が表示されたとき、操作者は、通常モードから小電力消費モードに変更しないことを選択する。操作者は、入力部７を操作して、図７における「いいえ」を選択して決定する。このとき入力部７には、維持指令が入力される。入力部７は、維持指令が操作者によって入力されると、この維持指令を制御部６に与える。
【００５４】
ステップｂ３で、制御部６は、入力部７から切換え指令を与えられると、ステップｂ４に進む。ステップｂ４で、制御部６は、前述の図５のステップａ２と同様にして、通常モードから小電力消費モードに切り換え、ステップｂ５に進む。ステップｂ５で、制御部６は、第２の切換え関連動作を終了する。
【００５５】
ステップｂ３で、制御部６は、入力部７から維持指令を与えられると、ステップｂ６に進む。ステップｂ６で、制御部６は、通常モードのまま、前記ステップｂ５に進む。
【００５６】
このように制御部６は、入力部７から切換え指令を与えられると、電源制御部４が第１供給状態から第２供給状態に切り換え、かつ、アプリケーション制御部５が第１機能状態から第２機能状態に切り換えるように、電源制御部４およびアプリケーション制御部５を制御する。したがって操作者によって入力部７に切換え指令が入力されることによって、電源および機能が切り換えられ、モードが切り換えられる。つまり操作者の意思によるモードの切換えが可能である。
【００５７】
図８は、小電力消費モードにおいて電源制御部４から残量回復通知を与えられたときの制御部６の動作が、自動切換え動作に設定されている場合の制御部６の動作（以下、第３の切換え動作と記載する）を説明するためのフローチャートである。
【００５８】
ステップｃ０で、制御部６は、第３の切換え関連動作を開始して、ステップｃ１に進む。第３の切換え関連動作は、（１）前記制御部６の動作が自動切換え動作が設定されている場合において、制御部６が通常モードから小電力消費モードに切り換えたとき、または（２）小電力消費モードにおいて、前記制御部６の動作が自動切換え動作に設定されたとき、開始される。
【００５９】
ステップｃ１で、制御部６は、電源制御部４から残量回復通知を与えられると、ステップｃ２に進む。ステップｃ２で、制御部６は、小電力消費モードから通常モードに切り換え、ステップｃ３に進む。
【００６０】
詳細に述べると、電源制御部４は、第２供給状態において充電によって第１電源２の残量が予め定める閾値以上になると、残量回復通知を制御部６に与える。制御部６は、電源制御部４から残量回復通知を与えられると、電源切換え指令を電源制御部４に与える。電源制御部４は、制御部６から電源切換え指令を与えられると、第２供給状態から第１供給状態に切り換える。電源制御部４は、第２供給状態から第１供給状態に切り換えると、電源切換え完了通知を制御部６に与える。
【００６１】
制御部６は、電源制御部４から電源切換え完了通知を与えられると、機能切換え指令をアプリケーション制御部５に与える。アプリケーション制御部５は、制御部６から機能切換え指令を与えられると、第２機能状態から第１機能状態に切り換える。アプリケーション制御部５は、第２機能状態から第１機能状態に切り換えると、機能切換え完了通知を制御部６に与える。制御部６は、アプリケーション制御部５から機能切換え完了通知を与えられると、小電力消費モードから通常モードに切り換える。
【００６２】
ステップｃ３で、制御部６は、報知音発生指令をスピーカ部に与え、ステップｃ４に進む。スピーカ部は、制御部６から報知音発生指令を与えられると、報知音を発生する。これによって制御部６が小電力消費モードから通常モードに切り換えたことを、操作者に通知することができる。ステップｃ４で、制御部６は、第３の切換え関連動作を終了する。
【００６３】
このように制御部６は、電源制御部４から残力回復通知を与えられると、電源制御部４が第２供給状態から第１供給状態に切り換え、かつ、アプリケーション制御部５が第２機能状態から第１機能状態に切り換えるように、電源制御部４およびアプリケーション制御部５を制御する。したがって電源および機能の切換え、すなわちモードの切換えにあたって、操作者の手を煩わすことがないので、利便性が向上される。
【００６４】
図９は、小電力消費モードにおいて電源制御部４から残量回復通知を与えられたときの制御部６の動作が、手動切換え動作に設定されている場合の制御部６の動作（以下、第４の切換え動作と記載する）を説明するためのフローチャートである。図１０は、小電力消費モードから通常モードに変更するか否かを操作者が選択して決定するための画面２４を示す図である。
【００６５】
ステップｄ０で、制御部６は、第４の切換え関連動作を開始して、ステップｄ１に進む。第４の切換え関連動作は、（１）前記制御部６の動作が手動切換え動作に設定されている場合において、制御部６が通常モードから小電力消費モードに切り換えたとき、または（２）小電力消費モードにおいて、前記制御部６の動作が手動切換え動作に設定されたとき、開始される。
【００６６】
電源制御部４は、第２供給状態において充電によって第１電源２の残量が予め定める閾値以上になると、残量回復通知を制御部６に与える。ステップｄ１で、制御部６は、電源制御部４から残量回復通知を与えられると、ステップｄ２に進む。ステップｄ２で、制御部６は、報知音発生指令をスピーカ部に与えるとともに、図１０に示す画面２４の表示指令を表示部９に与え、ステップｄ３に進む。
【００６７】
スピーカ部は、制御部６から報知音発生指令を与えられると、報知音を発生する。これによって第１電源２の残量が予め定める閾値以上になったことを、操作者に通知することができる。表示部９は、制御部６から前記表示指令を与えられると、図１０に示す画面２４を表示する。これによって小電力消費モードから通常モードに変更するか否かを、操作者に選択させることができる。
【００６８】
図１０に示す画面２４が表示されたとき、操作者は、小電力消費モードから通常モードに変更することを選択する。操作者は、入力部７を操作して、図１０における「はい」を選択して決定する。このとき入力部７には、切換え指令が入力される。入力部７は、切換え指令が操作者によって入力されると、この切換え指令を制御部６に与える。
【００６９】
また図１０に示す画面２４が表示されたとき、操作者は、小電力消費モードから通常モードに変更しないことを選択する。操作者は、入力部７を操作して、図１０における「いいえ」を選択して決定する。このとき入力部７には、維持指令が入力される。入力部７は、維持指令が操作者によって入力されると、この維持指令を制御部６に与える。
【００７０】
ステップｄ３で、制御部６は、入力部７から切換え指令を与えられると、ステップｄ４に進む。ステップｄ４で、制御部６は、前述の図８のステップｃ２と同様にして、小電力消費モードから通常モードに切り換え、ステップｄ５に進む。ステップｄ５で、制御部６は、第４の切換え関連動作を終了する。
【００７１】
ステップｄ３で、制御部６は、入力部７から維持指令を与えられると、ステップｄ６に進む。ステップｄ６で、制御部６は、小電力消費モードのまま、前記ステップｄ５に進む。
【００７２】
このように制御部６は、入力部７から切換え指令を与えられると、電源制御部４が第２供給状態から第１供給状態に切り換え、かつ、アプリケーション制御部５が第２機能状態から第１機能状態に切り換えるように、電源制御部４およびアプリケーション制御部５を制御する。したがって操作者によって入力部７に切換え指令が入力されることによって、電源および機能が切り換えられ、モードが切り換えられる。つまり操作者の意思によるモードの切換えが可能である。
【００７３】
以上のような本実施の形態によれば、第２電源３は、第１電源２よりも電力が小さいので、電源制御部４が第１供給状態から第２供給状態に切り換えると、供給電力が小さくなる。また予め定める第２の機能は、予め定める第１の機能よりも小さい電力によって実行されるので、アプリケーション制御部５が第１機能状態から第２機能状態に切り換えると、消費電力が小さくなる。
【００７４】
これらの点を考慮して、制御部６は、図５および図６に示すように、電源制御部４およびアプリケーション制御部５を制御する。これによって、電源制御部４が第１供給状態から第２供給状態に切り換えることによって供給電力が小さくなるとき、アプリケーション制御部５が第１機能状態から第２機能状態に切り換えることによって消費電力が小さくなる。
【００７５】
したがって電源制御部４が第１供給状態から第２供給状態に切り換えることによって供給電力が小さくなっても、携帯電話機１の稼動を維持することができる。本実施の形態の携帯電話機１は、携帯電話機として最も重要な機能である電話機能をいつでも実行することができる。
【００７６】
しかも第２電源３は、太陽電池３ａを含んで構成されるので、この太陽電池３ａに光が照射されていれば、第２電源３は、電力を供給することができる。したがって第２電源３の太陽電池３ａに光が照射されていれば、前記複数の機能のうち少なくとも予め定める第２の機能はいつでも実行することができる。換言すると、第１電源２の残量がなくなっても、第２電源３の太陽電池３ａに光が照射されることによって、携帯電話機１が稼動しないという事態を避けることができる。
【００７７】
また第２電源３は、第１電源２よりも電力が小さい。したがって第２電源３は、第１電源２および第２電源３の電力が等しい場合に比べて、小形および軽量となり、かつ、安価となる。このような第２電源３が用いられるので、携帯電話機１も、小形および軽量となり、かつ、安価となる。
【００７８】
図１１は、本発明の実施の他の形態の携帯電話機３１の外観を示す背面図である。本実施の形態の携帯電話機３１は、前述の実施の形態の携帯電話機１に類似するので、異なる点だけ説明する。本実施の形態の携帯電話機３１は、表示部９および入力部７が同一の筐体３２に設けられるストレート型である。表示部９および入力部７は、前記筐体３２の厚み方向一方側の表面部に設けられる。
【００７９】
このような携帯電話機１における第２電源３の太陽電池３ａの位置は、太陽電池３ａが外方に臨み、かつ、操作者による携帯電話機１の使用時でも太陽電池３ａが操作者の手指に覆われないような位置に、選ばれる。本実施の形態では、第２電源３の太陽電池３ａは、前記筐体３２の厚み方向他方側の表面部に配置される。詳しくは、第２電源３の太陽電池３ａは、前記他方側の表面部のうち、操作者による携帯電話機１の使用時における筐体３２の上端部３２ａに配置される。
【００８０】
前述の実施の各形態は、本発明の例示に過ぎず、本発明の範囲内において構成を変更することができる。たとえば前記複数の機能は、前述の各機能に限らず、たとえば時計機能および計算機能など種々の機能を含んでいてもよい。
【００８１】
予め定める第２の機能は、電話機能および電話帳機能に限らず、前記複数の機能のうち、第２電源３の太陽電池３ａに光が照射されているときに第２電源３から供給される電力によって実行可能な機能であればよい。
【００８２】
予め定める第２の機能は、予め定める第１の機能に比べて、表示部９に表示される画面が簡素化されてもよい。これによって消費電力を抑えることができる。また予め定める第２の機能がいくつかの機能を含む場合、各機能が同時に実行されないようにしてもよい。これによっても消費電力を抑えることができる。
【００８３】
前記複数の機能のうち予め定める第２の機能を除く残余の機能としては、ゲーム機能およびカメラ機能などのように画像を処理する機能が選ばれるのが好ましい。これらの画像を処理する機能は、他の機能に比べて消費電力が大きい。したがってこれらの画像を処理する機能が前記残余の機能として選ばれ、停止されることによって、消費電力を効果的に低下させることができる。
【００８４】
前記複数の機能として、表示部９に画面を表示するためのバックライト機能が含まれる場合、このバックライト機能が、前記残余の機能として選ばれるのが好ましい。このバックライト機能も、他の機能に比べて消費電力が大きい。したがってこのバックライト機能が前記残余の機能として選ばれ、停止されることによって、消費電力を効果的に低下させることができる。
【００８５】
制御部６は、必ずしも、電源制御部４が第２供給状態から第１供給状態に切り換えるとき、アプリケーション制御部５が第２機能状態から第１機能状態に切り換えるように、電源制御部４およびアプリケーション制御部５を制御する必要はない。電源制御部４が第１供給状態であるときにアプリケーション制御部５が第２機能状態であれば、第１電源２の残量の低下を抑えることができる。
【００８６】
制御部６は、入力部７から切換え指令を与えられたときだけ、電源制御部４が第１供給状態と第２供給状態とを切り換え、アプリケーション制御部５が第１機能状態と第２機能状態とを切り換えるように、電源制御部４およびアプリケーション制御部５を制御してもよい。また制御部は、電源制御部４から残量不足通知および残量回復通知を与えられたときだけ、電源制御部４が第１供給状態と第２供給状態とを切り換え、アプリケーション制御部５が第１機能状態と第２機能状態とを切り換えるように、電源制御部４およびアプリケーション制御部５を制御してもよい。
【００８７】
電源制御部４が残量不足通知を制御部６に与えるときの第１電源２の残量の閾値と、電源制御部４が残量回復通知を制御部６に与えるときの第１電源２の残量の閾値とは、必ずしも同一である必要はない。これらの閾値のいずれか一方が他方に比べて高くてもよい。
【００８８】
携帯電話機１，３１は、制御部６からの制御指令に応答して振動する振動部を含んで構成されてもよい。この場合、制御部６は、振動部を振動させることによって、制御部６が通常モードと小電力消費モードとを切り換えたことを、操作者に通知することができる。また制御部６は、振動部を振動させることによって、第１電源２の残量が予め定める閾値以下になったこと、および第１電源２の残量が予め定める閾値以上になったことを、操作者に通知することができる。
【００８９】
第１電源２は、二次電池に代えて一次電池を含んで構成されてもよく、たとえば乾電池を含んで構成されてもよい。第２電源３は、必ずしも太陽電池を含んで構成される必要はなく、太陽電池に代えて一次電池または二次電池を含んで構成されてもよい。
【００９０】
本発明は、携帯電話機１，３１に限らず、簡易型携帯電話機（Personal Handyphone
System、略称ＰＨＳ）および携帯情報端末機（Personal Digital Assistant、略称ＰＤＡ）として実現される携帯端末機器に適用することができる。
【図面の簡単な説明】
【００９１】
【図１】本発明の実施の一形態の携帯電話機１を示すブロック図である。
【図２】携帯電話機１の外観を示す図である。
【図３】通常モードにおいて電源制御部４から残量不足通知を与えられたときの制御部６の動作を設定するための設定画面２１を示す図である。
【図４】小電力消費モードにおいて電源制御部４から残量回復通知を与えられたときの制御部６の動作を設定するための設定画面２２を示す図である。
【図５】通常モードにおいて電源制御部４から残量不足通知を与えられたときの制御部６の動作が、自動切換え動作に設定されている場合の制御部６の動作を説明するためのフローチャートである。
【図６】通常モードにおいて電源制御部４から残量不足通知を与えられたときの制御部６の動作が、手動切換え動作に設定されている場合の制御部６の動作を説明するためのフローチャートである。
【図７】通常モードから小電力消費モードに変更するか否かを操作者が選択して決定するための画面２３を示す図である。
【図８】小電力消費モードにおいて電源制御部４から残量回復通知を与えられたときの制御部６の動作が、自動切換え動作に設定されている場合の制御部６の動作を説明するためのフローチャートである。
【図９】小電力消費モードにおいて電源制御部４から残量回復通知を与えられたときの制御部６の動作が、手動切換え動作に設定されている場合の制御部６の動作を説明するためのフローチャートである。
【図１０】小電力消費モードから通常モードに変更するか否かを操作者が選択して決定するための画面２４を示す図である。
【図１１】本発明の実施の他の形態の携帯電話機３１の外観を示す背面図である。
【符号の説明】
【００９２】
１，３１  携帯電話機
２  第１電源
３  第２電源
４  電源制御部
５  アプリケーション制御部
６  制御部
７  入力部
【図１】
2006109364.tif 000003
【図２】
2006109364.tif 000004
【図３】
2006109364.tif 000005
【図４】
2006109364.tif 000006
【図５】
2006109364.tif 000007
【図６】
2006109364.tif 000008
【図７】
2006109364.tif 000009
【図８】
2006109364.tif 000010
【図９】
2006109364.tif 000011
【図１０】
2006109364.tif 000012
【図１１】
2006109364.tif 000013